(57)【要約】【課題】  使用者のテレビの視聴の都合に応じて対応可能とし、視聴していたテレビの重要な情報等を聞き逃すことなく、着信を受けることが可能な携帯電話機を提供する。【解決手段】  制御部１３は着信があると、テレビチューナ部２１が動作中かどうかを確認し、テレビチューナ部２１が動作中であり、使用者によって予め設定される着信切換選択モードであれば、テレビチューナ部２１で受信中の画像が表示されている表示部１９に“発信者の電話番号”、“発信者の名前”、“着信中”のコメントを表示するともに、着信制御モードを選択させるためのメッセージを表示部１９に表示する。制御部１３は入力キー１６にて押下されるボタンに応じて「電話受けモード」、「留守番電話モード」、「保留モード」を切換えて着信制御を行う。【選択図】      図１                                                  
2005110067.tif 000002
【特許請求の範囲】
【請求項１】
テレビチューナを搭載する携帯情報端末であって、
前記テレビチューナの動作中の着信時に外部からの指示に基づいて当該着信に対する制御を行う制御手段を有することを特徴とする携帯情報端末。
【請求項２】
前記制御手段は、前記着信に対して少なくとも電話を受ける処理と、保留にする処理と、留守番電話にする処理とのいずれかを行うことを特徴とする請求項１記載の携帯情報端末。
【請求項３】
前記制御手段は、前記着信時に当該着信に対して電話を受ける処理と、保留にする処理と、留守番電話にする処理とのいずれを行うかを問い合わせるメッセージを外部に表示することを特徴とする請求項２記載の携帯情報端末。
【請求項４】
前記制御手段は、予め設定した時間内に前記外部からの指示がない時に前記テレビチューナの動作を終了して前記着信を受ける処理を行うことを特徴とする請求項１から請求項３のいずれか記載の携帯情報端末。
【請求項５】
前記着信の発信者を判別する判別手段と、前記着信に対する制御内容を発信者毎に予め記憶する記憶手段とを含み、
前記制御手段は、前記テレビチューナの動作中の着信時に前記判別手段の判別結果を基に前記記憶手段から読出した前記制御内容に応じて前記テレビチューナの動作の制御と前記着信に対する制御とを行うことを特徴とする請求項１から請求項４のいずれか記載の携帯情報端末。
【請求項６】
テレビチューナを搭載する携帯情報端末の着信制御方法であって、前記携帯情報端末側に、前記テレビチューナの動作中における着信を判定するステップと、前記着信があると判定された時に外部からの指示に基づいて当該着信に対する制御を行うステップとを有することを特徴とする着信制御方法。
【請求項７】
前記着信に対する制御を行うステップは、前記着信に対して少なくとも電話を受ける処理と、保留にする処理と、留守番電話にする処理とのいずれかを行うことを特徴とする請求項６記載の着信制御方法。
【請求項８】
前記着信時に当該着信に対して電話を受ける処理と、保留にする処理と、留守番電話にする処理とのいずれを行うかを問い合わせるメッセージを外部に表示するステップを含むことを特徴とする請求項２記載の着信制御方法。
【請求項９】
予め設定した時間内に前記外部からの指示がない時に前記テレビチューナの動作を終了して前記着信を受ける処理を行うステップを含むことを特徴とする請求項６から請求項８のいずれか記載の着信制御方法。
【請求項１０】
前記テレビチューナの動作中の着信時に当該着信の発信者を判別するステップと、その判別結果を基に前記着信に対する制御内容を発信者毎に予め記憶する記憶手段から読出すステップと、この読出した制御内容に応じて前記テレビチューナの動作の制御と前記着信に対する制御とを行うステップとを含むことを特徴とする請求項６から請求項９のいずれか記載の着信制御方法。
【請求項１１】
テレビチューナを搭載する携帯情報端末の着信制御方法のプログラムであって、前記携帯情報端末のコンピュータに、前記テレビチューナの動作中における着信を判定する処理と、前記着信があると判定された時に外部からの指示に基づいて当該着信に対する制御を行う処理とを実行させるためのプログラム。
【発明の詳細な説明】
【技術分野】
【０００１】
本発明は携帯情報端末及びそれに用いる着信制御方法並びにそのプログラムに関し、特にテレビチューナを搭載する携帯電話機に関する。
【背景技術】
【０００２】
近年、携帯電話機を含む携帯情報端末においては、電子メールの送受信、インタネットの閲覧、ディジタル画像（静止画や動画）の送受信等の多機能化に伴って、液晶画面が精細化され、テレビチューナを搭載する端末も提案されている。
【０００３】
つまり、従来の携帯電話機では、文字等を表示可能な液晶画面から、写真等の静止画やアニメーション等の動画を表示可能な液晶画面へと移り変わってきており、テレビ画面をも表示可能なものとなっているので、テレビチューナの搭載が実現可能となっている。
【０００４】
【特許文献１】特開２００２−７７３２３号公報
【特許文献２】特開２００２−１８５９４３号公報
【発明の開示】
【発明が解決しようとする課題】
【０００５】
しかしながら、上述した従来の携帯電話機では、テレビチューナを搭載している場合、使用者がテレビを視聴している時に着信があると、使用者のテレビの視聴の都合等によって、使用者がその着信を受けたくなくても、その着信を受けなければならないという問題がある。
【０００６】
そこで、本発明の目的は上記の問題点を解消し、使用者のテレビの視聴の都合に応じて対応することができ、視聴していたテレビの重要な情報等を聞き逃すことなく、着信を受けることができる携帯情報端末及びそれに用いる着信制御方法並びにそのプログラムを提供することにある。
【課題を解決するための手段】
【０００７】
本発明による携帯情報端末は、テレビチューナを搭載する携帯情報端末であって、
前記テレビチューナの動作中の着信時に外部からの指示に基づいて当該着信に対する制御を行う制御手段を備えている。
【０００８】
本発明による着信制御方法は、テレビチューナを搭載する携帯情報端末の着信制御方法であって、前記携帯情報端末側に、前記テレビチューナの動作中における着信を判定するステップと、前記着信があると判定された時に外部からの指示に基づいて当該着信に対する制御を行うステップとを備えている。
【０００９】
本発明による着信制御方法のプログラムは、テレビチューナを搭載する携帯情報端末の着信制御方法のプログラムであって、前記携帯情報端末のコンピュータに、前記テレビチューナの動作中における着信を判定する処理と、前記着信があると判定された時に外部からの指示に基づいて当該着信に対する制御を行う処理とを実行させている。
【００１０】
すなわち、本発明の携帯電話機は、テレビチューナを搭載した端末において、テレビチューナが動作し、テレビチューナによって受信した画像が表示部に表示され、使用者がテレビを視聴している時に着信があった場合、使用者による携帯電話機上の簡単な操作によって、使用者の状況に応じた着信制御を可能にすることを特徴とする。
【００１１】
より具体的に説明すると、本発明の携帯電話機では、テレビチューナを搭載する端末において、使用者がテレビを視聴している時に着信があった場合、使用者による着信時の制御の選択に応じて、つまり使用者による端末上の表示を見ながらのボタン操作に応じて、テレビチューナを終了させたり、その着信を受けたり、その着信を保留にしたり、その着信を留守番電話にしたりしている。
【００１２】
また、本発明の携帯電話機では、使用者が予め設定した時間の間に、着信時のボタン操作がなかった場合、テレビチューナを終了し、自動的に着信を受けるようにしている。
【００１３】
さらに、本発明の携帯電話機では、発信者が誰であるかを判断し、予め使用者が発信者に応じて端末の着信制御を設定した内容を記憶部から読出し、読出した設定内容に応じてテレビチューナの動作及び着信制御を行っている。
【００１４】
これによって、本発明の携帯電話機では、使用者がテレビを視聴している時に着信があった場合、直ぐにテレビチューナを終了せず、使用者によるボタン操作に応じて、着信を受けたり、着信を保留状態へ移行させたり、着信を留守電状態へ移行させたりすることによって、使用者のテレビの視聴の都合に応じた対応を可能にし、視聴していたテレビの重要な情報等を聞き逃すことなく、着信を受けることが可能となる。
【００１５】
また、本発明の携帯電話機では、着信してからある時間経過してから端末に対して何の操作も行われない時に、自動的にテレビチューナを終了し、着信を受けるようにすることによって、ボタン操作を簡単にすることが可能となる。
【００１６】
さらに、本発明の携帯電話機では、発信者が誰であるかを自動的に判断するとともに、その判断された発信者に応じて予め使用者が設定している端末の着信制御を行うことによって、着信時にボタン操作する煩わしさも解消することが可能となる。
【発明の効果】
【００１７】
本発明は、以下に述べるような構成及び動作とすることで、使用者のテレビの視聴の都合に応じて対応することができ、視聴していたテレビの重要な情報等を聞き逃すことなく、着信を受けることができるという効果が得られる。
【発明を実施するための最良の形態】
【００１８】
次に、本発明の実施例について図面を参照して説明する。図１は本発明の一実施例による携帯情報端末の構成を示すブロック図である。図１において、携帯情報端末１は送受信アンテナ１１と、携帯電話無線部１２と、制御部１３と、レシーバ（受話部）１４と、マイク１５と、入力キー１６と、記憶部１７と、スピーカ１８と、表示部１９と、テレビアンテナ２０と、テレビチューナ部２１とから構成されている。
【００１９】
携帯情報端末１では送受信アンテナ１１で着信信号を受信すると、その着信信号を携帯電話無線部１２で復調して制御部１３に供給する。制御部１３は着信信号が入力されると、スピーカ部１８から着信音の鳴動、表示部１９に着信した旨の表示等の呼出動作を行う。
【００２０】
携帯電話無線部１２で復調されて得られた受話音は、レシーバ１４から利用者に伝えられる。また、携帯電話無線部１２においては送信すべき音声を変調する等の所定の信号処理を行い、その信号処理を行った信号を送受信アンテナ１１から送信する。
【００２１】
使用者がテレビを視聴する時には、テレビアンテナ２０から入力されるテレビ信号をテレビチューナ部２１で復調して制御部１３に供給する。制御部１３はテレビ信号が入力されると、スピーカ１８からテレビ音声を出力するとともに、表示部１９にテレビ映像を表示する。尚、制御部１３による上記の処理動作は記憶部１７に格納されたプログラム（コンピュータで実行可能なプログラム）を実行することで実現される。
【００２２】
図２は本発明の一実施例によるテレビチューナ動作中の着信動作を示す図である。図２（ａ）はテレビチューナ動作中における電話待ち受け状態を示し、図２（ｂ）はテレビチューナ動作中において着信があった状態を示している。
【００２３】
図３は本発明の一実施例による着信動作を示すフローチャートである。これら図１〜図３を参照して本発明の一実施例による着信動作について説明する。尚、図３に示す処理は制御部１３が記憶部１７のプログラムを実行することで実現される。
【００２４】
携帯情報端末１の制御部１３は着信があると、テレビチューナ部２１が動作中かどうかを確認する（図３ステップＳ１）。制御部１３はテレビチューナ部２１が動作中でなければ、スピーカ部１８から着信音の鳴動、表示部１９に着信した旨の表示等の呼出報知を行い（図３ステップＳ２）、使用者がその着信を受けると、通話状態となる（図３ステップＳ３）。
【００２５】
制御部１３はテレビチューナ部２１が動作中となっていた場合、使用者によって予め設定される着信切換選択モードであるかどうかを確認する（図３ステップＳ４）。制御部１３は着信切換選択モードでなければ、テレビチューナ部２１の動作を終了させた後、スピーカ部１８から着信音の鳴動、表示部１９のコメント表示部１９２に着信した旨の表示等の呼出報知を行い（図３ステップＳ５）、使用者がその着信を受けると、通話状態となる（図３ステップＳ６）。
【００２６】
制御部１３は着信切換選択モードになっていた場合、テレビチューナ部２１で受信中の画像が表示されている表示部１９のテレビ画像部１９の下部のコメント表示部１９２に“発信者の電話番号”、“発信者の名前”、“着信中”のコメントを表示する（図３ステップＳ７）。その後、制御部１３は、図３（ｂ）に示すように、「直ぐにその着信を受ける場合に“１”ボタン押下」、「留守番電話状態に移行する場合に“２”ボタン押下」、「保留状態にする場合に“３”ボタン押下」の旨のコメントを表示部１９のコメント表示部１９２に表示する（図３ステップＳ８）。
【００２７】
制御部１３は入力キー１６にてボタンが押下されているかどうかを確認した後（図３ステップＳ９）、押下されたボタンが“１”ボタンであれば（図３ステップＳ１０）、テレビチューナ部２１の動作を終了させた後、スピーカ部１８から着信音の鳴動、表示部１９に着信した旨の表示等の呼出報知を行い（図３ステップＳ１１）、使用者がその着信を受けると、通話状態となる（図３ステップＳ１２）。
【００２８】
制御部１３は押下されたボタンが“２”ボタンであれば（図３ステップＳ１０）、テレビチューナ部２１の動作を停止することなく、留守番電話動作に切換える（図３ステップＳ１３）。これによって、使用者はテレビをそのまま視聴することができ、テレビの内容を見逃すことなく、テレビの視聴後、留守番内容を確認することができる。
【００２９】
制御部１３は押下されたボタンが“３”ボタンであれば（図３ステップＳ１０）、テレビチューナ部２１の動作を停止することなく、保留動作に切換える（図３ステップＳ１４）。
【００３０】
尚、制御部１３はステップＳ１〜Ｓ１４のいずれの状態でも、着信が切断されると、着信前の動作に移行する。使用者はテレビの視聴が終わったところで、その着信を受ければ、通話状態となる。
【００３１】
このように、本実施例では、携帯情報端末１が着信動作に入って直ぐにテレビチューナ部２１の動作が終了するのではなく、着信時に使用者が発信者が誰かを確認し、それに応じて着信制御を選択してボタン操作することで、使用者のテレビ視聴状況に応じて電話を受けることができ、テレビの視聴を損なうことなく、テレビの視聴中の着信に対応することができる。
【００３２】
図４及び図５は本発明の他の実施例による着信動作を示すフローチャートである。本発明の他の実施例による携帯情報端末は図１に示す本発明の一実施例による携帯情報端末１と同様の構成となっているので、これら図１と図４と図５とを参照して本発明の他の実施例による着信動作について説明する。尚、図４及び図５に示す処理は制御部１３が記憶部１７のプログラムを実行することで実現される。また、図４のステップＳ２１〜Ｓ２８の動作及び図５のステップＳ２９〜Ｓ３４の動作は図３のステップＳ１〜Ｓ１４の動作と同様であるので、その説明は省略する。
【００３３】
制御部１３はテレビチューナ部２１の動作中に着信動作した時（図４ステップＳ２１）、着信切換選択モードであれば（図４ステップＳ２４）、入力キー１６にてボタンが押下されているかどうかを確認した後（図５ステップＳ２９）、ボタンが押下されていなければ、着信動作してからの時間が使用者によって予め設定した時間Ｘ秒間を経過しているかどうかを確認する（図５ステップＳ３５）。
【００３４】
制御部１３はＸ秒間経過していれば、テレビチューナ部２１の動作を終了させた後、スピーカ部１８から着信音の鳴動、表示部１９に着信した旨の表示等の呼出報知を行い（図５ステップＳ３１）、使用者がその着信を受けると、通話状態となる（図５ステップＳ３２）。制御部１３はＸ秒間経過してなければ、ステップＳ２９に戻る。
【００３５】
これによって、本実施例では、携帯情報端末１が着信動作に入って直ぐにテレビチューナ部２１を終了させるのではなく、使用者が予め設定した時間（Ｘ秒間）が経過した後、テレビチューナ部２１の動作を終了させることができる。本実施例では、Ｘ秒経過後に移行するモードを実施するかどうかを、使用者が任意に変更可能としてもよい。
【００３６】
したがって、本実施例では、着信時に発信者を確認し、使用者のテレビ視聴状況に応じてその着信を受けることが可能となり、テレビの視聴を損なうことなく、テレビの視聴中の着信に対応することができる。
【００３７】
図６は本発明の別の実施例によるテレビチューナ動作時着信制御モード対応表を示す図である。本発明の別の実施例による携帯情報端末は図１に示す本発明の一実施例による携帯情報端末１と同様の構成となっている。また、図６において、本発明の別の実施例によるテレビチューナ動作時着信制御モード対応表は予め使用者によって設定されて記憶部１７に記憶されている。
【００３８】
このテレビチューナ動作時着信制御モード対応表には、着信制御モード（「電話受けモード」、「留守番電話モード」、「保留モード」）、動作（「テレビチューナ動作を終了して直ぐに電話を受ける」、「テレビチューナ動作のまま留守番電話状態にする」、「テレビチューナ動作のまま保留状態にする」）、発信者番号（「Ａ，Ｄ，Ｇ，・・・」、「Ｂ，Ｅ，Ｈ，・・・」、「Ｃ，Ｆ，Ｉ，・・・」）が対応付けられて格納されている。
【００３９】
図７〜図９は本発明の別の実施例による着信動作を示すフローチャートである。これら図１と図６〜図９とを参照して本発明の別の実施例による着信動作について説明する。尚、図７〜図９に示す処理は制御部１３が記憶部１７のプログラムを実行することで実現される。また、図４のステップＳ４１〜Ｓ４８の動作及び図８のステップＳ４９〜Ｓ５４の動作は図３のステップＳ１〜Ｓ１４の動作と同様であるので、その説明は省略する。
【００４０】
制御部１３はテレビチューナ部２１の動作中に着信動作した時（図７ステップＳ４１）、着信切換選択モードであれば（図７ステップＳ４４）、入力キー１６にてボタンが押下されているかどうかを確認した後（図８ステップＳ４９）、ボタンが押下されていなければ、着信動作してからの時間が使用者によって予め設定した時間Ｘ秒間を経過しているかどうかを確認する（図８ステップＳ５５）。制御部１３はＸ秒間経過してなければ、ステップＳ４９に戻る。
【００４１】
制御部１３はＸ秒間経過していれば、使用者によって予め設定されている発信者番号に対応した着信制御モードを記憶部１７のテレビチューナ動作時着信制御モード対応表から読出す（図９ステップＳ５６）。記憶部１７には、図６に示すように、テレビチューナ動作時着信制御モード対応表に、各着信制御モードに対応した発信者番号が記憶されている。
【００４２】
例えば、発信者番号が発信者「Ａ」の場合には、テレビチューナ動作時着信制御モード対応表に「電話受けモード」が設定されているため（図９ステップＳ５７）、制御部１３はテレビチューナ部２１の動作を終了させた後、スピーカ部１８から着信音の鳴動、表示部１９に着信した旨の表示等の呼出報知を行い（図９ステップＳ５８）、使用者がその着信を受けると、通話状態となる（図９ステップＳ５９）。
【００４３】
また、発信者番号が発信者「Ｂ」の場合には、テレビチューナ動作時着信制御モード対応表に「留守番電話モード」が設定されているため（図９ステップＳ５７）、制御部１３はテレビチューナ部２１の動作を停止することなく、留守番電話動作に切換える（図９ステップＳ６０）。これによって、使用者はテレビをそのまま視聴することができ、テレビの内容を見逃すことなく、テレビの視聴後、留守番内容を確認することができる。
【００４４】
さらに、発信者番号が発信者「Ｃ」の場合には、テレビチューナ動作時着信制御モード対応表に「保留モード」が設定されているため（図９ステップＳ５７）、制御部１３はテレビチューナ部２１の動作を停止することなく、保留動作に切換える（図９ステップＳ６１）。
【００４５】
これによって、本実施例では、発信者がだれであるかの判断結果に応じて、自動的に「電話受けモード」、「留守番電話モード」、「保留モード」に切換えて着信制御を行うことができる。
【００４６】
このように、本発明では、テレビチューナを搭載した携帯電話機等の携帯情報端末１にて、使用者がテレビを視聴している時に着信があった場合、直ぐにテレビチューナ部２１を終了せず、使用者によるボタン操作に応じて、その着信を受けたり、その着信を保留状態へ移行させたり、その着信を留守電状態へ移行させたりすることによって、使用者のテレビの視聴の都合に応じてテレビの視聴中の着信に対応することができ、視聴していたテレビの重要な情報等を聞き逃すことなく、着信を受けることができる。
【００４７】
また、本発明では、着信してからある時間が経過しても、使用者が何の操作も行われない時に、自動的にテレビチューナ部２１の動作を終了させて着信を受けることによって、ボタン操作を簡単にすることができる。
【００４８】
さらに、本発明では、発信者が誰であるかを自動的に判断して着信制御を制御することで、予め使用者が発信者に応じて端末の着信制御を設定しておけば、着信時にボタン操作する煩わしさをも解消することができる。
【図面の簡単な説明】
【００４９】
【図１】本発明の一実施例による携帯情報端末の構成を示すブロック図である。
【図２】本発明の一実施例によるテレビチューナ動作中の着信動作を示す図である。
【図３】本発明の一実施例による着信動作を示すフローチャートである。
【図４】本発明の他の実施例による着信動作を示すフローチャートである。
【図５】本発明の他の実施例による着信動作を示すフローチャートである。
【図６】本発明の別の実施例によるテレビチューナ動作時着信制御モード対応表を示す図である。
【図７】本発明の別の実施例による着信動作を示すフローチャートである。
【図８】本発明の別の実施例による着信動作を示すフローチャートである。
【図９】本発明の別の実施例による着信動作を示すフローチャートである。
【符号の説明】
【００５０】
１  携帯情報端末
１１  送受信アンテナ
１２  携帯電話無線部
１３  制御部
１４  レシーバ
１５  マイク
１６  入力キー
１７  記憶部
１８  スピーカ
１９  表示部
２０  テレビアンテナ
２１  テレビチューナ部
１９１  テレビ画像部
１９２  コメント表示部
【図１】
2005110067.tif 000003
【図２】
2005110067.tif 000004
【図３】
2005110067.tif 000005
【図４】
2005110067.tif 000006
【図５】
2005110067.tif 000007
【図６】
2005110067.tif 000008
【図７】
2005110067.tif 000009
【図８】
2005110067.tif 000010
【図９】
2005110067.tif 000011